(57)【特許請求の範囲】
【請求項１】
記録媒体が装着される記録媒体駆動機構部と、
上記記録媒体駆動機構部が収納されるシャーシと、
上記シャーシの一側面に所要間隔で対向する一対の軸受部により形成され、上記一側面の外周面に固着される電池収納部の電池蓋を軸支する第１の軸受部と、
上記一対の軸受部の間に設けられ、上記第１の軸受部の軸支方向と直交する方向に本体蓋を軸支する第２の軸受部と、を設けてなり、
上記第１の軸受部と上記第２の軸受部は上記シャーシの一側面の端部に設けられることを特徴とする携帯電子機器。
【請求項２】
上記第１の軸受部と上記第２の軸受部は上記シャーシに打抜き加工により形成されることを特徴とする請求項１記載の携帯電子機器。
【発明の詳細な説明】
【０００１】
【産業上の利用分野】
本発明は電子機器、例えばディスクプレーヤー，テーププレーヤー等に係り、特に電池蓋，本体蓋の軸支構造に関する。
【０００２】
【従来の技術】
電子機器、例えばディスクプレーヤー，テーププレーヤー等の携帯用の電子機器には電池収納部、即ち、電池ケースが備えられており、この電池ケースは一端面側が開口され、この開口部は接点兼用の電池蓋によって開閉されて電池ケースに収納される電池は電池蓋によって保持されると共に、本体側の駆動電気回路と導通状態になる。
【０００３】
また、本体側には、ディスクカートリッジ，テープカセット等の記録媒体装着部を開閉する本体蓋が備えられている。
【０００４】
そして、この電池蓋と本体蓋は機器本体に対してそれぞれ別個の部位に軸着されて回転動作により開閉される如くなっている。
【０００５】
【発明が解決しようとする課題】
このように従来のディスクプレーヤー，テーププレーヤー等の電子機器においては、回転開閉動作される電池蓋と本体蓋とは機器本体の別個の部位に軸着され、このため、機器本体には電池蓋と本体蓋の軸受部は別個の部位に設けることになるので、機器本体側、特にシャーシー又は外筐体の構成が複雑になると共に、両蓋の軸支、組立てにも手数を要しコスト高になる不具合があり、また、軸支部が離隔して配設されることにより機器内のスペースを多く占有することになって機器の大型化につながる不具合がある。
【０００６】
本発明はかかる点に鑑みてなされたもので、機器本体に対して電池蓋と本体蓋を軸支する軸受部を１個所にまとめることによりその構成を簡単化すると共に、両蓋の軸支組立てを容易にした電子機器を提供することを目的とする。
【０００７】
【課題を解決するための手段】
上記目的を達成するために本発明は、
記録媒体が装着される記録媒体駆動機構部と、
この記録媒体駆動機構部が収納されるシャーシと、
このシャーシの一側面に所要間隔で対向する一対の軸受部により形成され、一側面の外周面に固着される電池収納部の電池蓋を軸支する第１の軸受部と、
この第１の軸受部の一対の軸受部の間に設けられ、第１の軸受部の軸支方向と直交する方向に本体蓋を軸支する第２の軸受部と、を設けてなり、
この第１の軸受部と上記第２の軸受部がシャーシの一側面の端部に設けられた構成としたものである。
【０００８】
この構成において、第１の軸受部と第２の軸受部はシャーシに打抜き加工により形成されるものとする。
【００１０】
【作用】
このように本発明の構成によれば、機器本体に対して電池蓋と本体蓋の軸支部が効率よく１個所にまとめて配置されて電池蓋と本体蓋は互いに異なる方向に回動開閉動作され、そして、機器本体のスペースを有効に利用できることにより、電子機器の小型化が可能になる。
【００１１】
【実施例】
以下、図面を参照しながら本発明の実施例について詳述する。
【００１２】
本例においては、ミニディスク（ＭＤ）と称される６４ｍｍ径の小型の光磁気ディスクを再生する携帯用のディスクプレーヤーについて説明する。
【００１３】
図１はこのディスクプレーヤーの外観を示しており、このディスクプレーヤー１に装着される光磁気ディスク（以下単にディスクという）１００は同図により明らかな如くプラスチック製のカートリッジ１０１内に回転可能に収納されており、これには既に信号が記録され、即ち音楽等を録音してある。そしてこのディスク１００を収納したカートリッジ（以下ディスクカートリッジという）１０１をディスクプレーヤー１に挿入装着してディスク１００の再生が行なわれるものである。
【００１４】
このディスクプレーヤー１は携帯性を重視して従来の同種のディスクプレーヤーよりもさらに小型・薄型に形成されているもので、特にその厚みは１８．５ｍｍの超薄型に形成されている。
【００１５】
この小型・薄型化を可能とした構造を図２〜図４に示す。
図において２はこのディスクプレーヤー１の基本枠組となるメインシャーシー（以下単にシャーシーという）で、このシャーシー２は図３及び図４で明らかなように、薄い板金によって４つの側面部（左側面部２ａ，後側面部２ｂ，右側面部２ｃ，前側面部２ｄ）を有する枠形に形成されている。
【００１６】
即ちこのシャーシー２の左側面部２ａ，後側面部２ｂ，右側面部２ｃは板金をコ字形に折り曲げて形成され、これに前側面部２ｄを構成する板金を固定することによって全体として４つの面を有する枠形のシャーシー２を形成している。
【００１７】
そしてこのシャーシー２の中に収まるように、ディスクカートリッジ１０１が装着されるディスク駆動機構部としてのメカデッキ４０が支持されている。このメカデッキ４０については後に詳しく述べる。
【００１８】
またこのシャーシー２の下面側には、ディスク駆動回路や信号再生回路が構成される回路基板３が螺子４によって固定されている。
【００１９】
５はディスクプレーヤー１の動作電源としての電池６が収納される電池ケースである。この電池ケース５は例えば亜鉛ダイカストにより成形される剛体であり、この電池ケース５がシャーシー２の右側面部２ｃに固着されている。
【００２０】
この電池ケース５とシャーシー２の固着部の構造を図４でさらに詳細に説明すると、シャーシー２の右側面部２ｃの上縁には２箇所に凸部２ｃ1 ，２ｃ2 、が突出形成され、一方これに対応して電池ケース５の側面部には上下方向に通じる係合孔７ａ，７ｂが形成されており、この係合孔７ａ，７ｂに下方からシャーシー２の凸部２ｃ1 ，２ｃ2 を挿入して係合し、その上でシャーシー２の右側面部２ｃと電池ケース５とを螺子８によって上記の凸部２ｃ1 ，２ｃ2 と係合孔７ａ，７ｂの挿入係合方向と直交する方向に締結固定してある。
【００２１】
このように薄い板金を折り曲げて枠状に形成されるシャーシー２の一側面部（右側面部２ｃ）に剛体によりなる電池ケース５を固着したことにより、シャーシー２の強度がシャーシー単体に比べて大幅に向上されることになる。
【００２２】
尚、電池ケース５に収納される動作電源としての電池６は充電式（リチャージャブル）の専用電池であり、その端面に形成された電極６ａ，６ｂが電池ケース５の内部に配される入力基板９の端子９ａ，９ｂに接触することにより、メカデッキのディスク駆動機構部及び回路基板上の電子回路に電力が供給されるようになっている。
【００２３】
またこの電池６を出し入れする電池ケース５の開口部は、シャーシー２に水平方向に回動可能に軸支される電池蓋１０によって開閉される如くなされている。この電池蓋１０の構造については後に述べる。
【００２４】
上述したように剛体によりなる電池ケース５を固定して強度が向上されるシャーシー２の周囲は、ディスクプレーヤー１の外筐を構成する下蓋１１，上蓋１２及び飾り枠１３によって覆われている。
【００２５】
下蓋１１はアルミニウム板によってシャーシー２の下面側から電池ケース５の下面側を覆う大きさに形成されており、この下蓋１１が螺子１４によってシャーシー２及び電池ケース５に固定される。
【００２６】
またシャーシー２の後部には左側面部２ａと右側面部２ｃの内面側に沿って板金によりなる一対のアーム１５ａ，１５ｂが垂直方向（上下方向）に回動可能に軸支されており、このアーム１５ａ，１５ｂに、アルミニウム板によってシャーシー２の上面側を覆う大きさに形成された上蓋１２が螺子１６によって固定されている。即ちこの上蓋１２は、シャーシー２に対し上下方向に  回動可能であり、メカデッキのディスクカートリッジ装着部を開閉する開閉蓋として構成されているものである。
【００２７】
これら下蓋１１と上蓋１２の間に配される飾り枠１３は、硬質のプラスチックによってシャーシー２の左側面部２ａ，後側面部２ｂ及び前側面部２ｄに沿うコ字状に形成され、これがシャーシー２の外周面に螺子１７によって固定される。
【００２８】
この飾り枠１３におけるシャーシー２の左側面部２ａと対応する中央面部には各種の操作釦（本例ではディスクの再生，早送り，逆送り，一時停止，停止及び音量調整の６種の操作釦）１８が設けられており、後述するようにこの各操作釦１８でシャーシー２の左側面部２ａに固着されているスイッチ基板１９の面スイッチ１９ａを夫々押圧操作することによりディスクの各種動作の切り換えや音量調整が行なわれる。
【００２９】
上述したように本例のディスクプレーヤー１においては、薄い板金によりなる枠状のシャーシー２に剛体によりなる電池ケース５を固定してシャーシー２の強度を向上させ、さらにこのシャーシー２と電池ケース５とに跨がってアルミニウム製の下蓋１１を固定すると共にシャーシー２の上面側にアルミニウム製の上蓋１２を取り付け、シャーシー２の外周面に硬質プラスチック製の飾り枠１３を固定したことにより、全体的に小型・薄型・軽量でかつ実用に耐え得る充分な強度を有する構体を構成できるものである。
【００３０】
さらに本例の構造においては、小型化を可能とするために電池ケース５を開閉する電池蓋１０の軸支部とディスク装着部を開閉する上蓋１２の軸支部に特別の構造を採用している。
【００３１】
この構造部分を図５に示す。
電池蓋１０は、電池ケースの開口部を開閉するようにシャーシー２に軸支される回動板１０ａと、この回動板１０ａにその面方向に沿って所定範囲で摺動可能に取り付けられる蓋本体１０ｂとによりなる。
【００３２】
蓋本体１０ｂの先端部には係合突起２１が設けられ、一方これに対応して電池ケース５の開口縁には図６に示すように係合孔部２２が形成されており、蓋本体１０ｂを回動板１０ａの遊端部側に移動させた状態で電池蓋１０によって電池ケース５の開口部を閉じ、この状態から蓋本体１０ｂを回動板１０ａの基端部側に移動させて係合突起２１を係合孔部２２に係合させることにより電池蓋１０がロックされる構成となっている。
【００３３】
このように構成される電池蓋１０のシャーシー２に対する軸支部は、上蓋１２の片側の軸支部と殆ど同じ部分に設定されている。
【００３４】
即ち、図５により明らかなようにシャーシー２の後側面部２ｂと右側面部２ｃの間の折り曲げ部の近傍において右側面部２ｃの上下縁には、電池蓋１０を軸支するための第１の軸受部２３ａ，２３ｂが対称的に形成され、この上下の第１の軸受部２３ａと２３ｂの間に位置して上蓋１２が取り付けられる右側のアーム１５ｂを軸支するための第２の軸受部２５が形成されている。
【００３５】
電池蓋１０を軸支する第１の軸受部２３ａ，２３ｂは、夫々根元部が垂直に立ち上がり、その先端部分が内側に水平に折り曲げられるＵ字形状に突出形成され、これに対応して電池蓋１０の回動板１０ａの基端部側に突設された上下の突出片部１０ａ1 ，１０ａ2 には夫々支軸２４ａ，２４ｂが対向するように突設されており、この上下の支軸２４ａ，２４ｂを夫々第１の軸受部２３ａ，２３ｂに横方向から挿入し係合させることにより簡単に組み付けられるようになっている。
【００３６】
この構造において支軸２４ａ，２４ｂの根元部には夫々フランジ部２４ａ1 ，２４ｂ1 が形成されており、支軸２４ａ，２４ｂを第１の軸受部２３ａ，２３ｂに係合させた後に電池ケース５をシャーシー２の右側面部２ｃに固定するとこのフランジ部２４ａ1 ，２４ｂ1 が電池ケース５の一部に接する状態となり、これによって電池蓋１０は第１の軸受部２３ａ，２３ｂからの支軸２４ａ，２４ｂの抜けを止められた状態でガタつくことなく組み付けられる構成となっている（図７参照）。
【００３７】
一方、上蓋１２が取り付けられるアーム１５ｂを軸支する第２の軸受部２５は、第１の軸受部２３ａと２３ｂの間においてこの第１の軸受部２３ａ，２３ｂと直交する方向に切り起こし状に突出形成され、この第２の軸受部２５にアーム１５ｂがカシメピン２６によって垂直方向に回動可能に枢着軸支されている。
【００３８】
このように本構造は、互いに回動方向の異なる電池蓋１０と上蓋１２の軸支部をシャーシー２上に効率よく配置し、スペースを有効に利用することによりディスクプレーヤーの小型化に有利な構成としたものである。
【００３９】
さらに本例のディスクプレーヤー１では、飾り枠１３の操作釦１８の配置部において強度を充分に確保するための構造が考慮されている。
【００４０】
この飾り枠１３の構造を図８及び図９に示す。
飾り枠１３には操作釦１８に対応して凹部２７が設けられており、この凹部２７内に操作釦１８が収まるように配置されている。
【００４１】
各操作釦１８の裏側には夫々二種類のピン２８，２９が突設され、このピン２８，２９が夫々凹部２７の底部分に形成された通孔３０，３１を貫通して飾り枠１３の内面側に臨んでおり、一方のピン２８はシャーシー２の左側面部２ａに固着されたスイッチ基板１９の面スイッチ１９ａと対接し、他方のピン２９は飾り枠１３の内側面に固着される板ばね３２に接続されている。
【００４２】
板ばね３２には各操作釦１８に対応して所定の切り込みを入れることによって可撓部３２ａが形成され、この可撓部３２ａに各操作釦１８のピン２９を溶融カシメによって接続固定してあり、この板ばね３２の可撓部３２ａの弾性をもって各操作釦１８に復帰方向の力を付与している。またピン２８はこの板ばね３２に形成された通孔３２ｂを貫通してスイッチ基板１９の面スイッチ１９ａに接している。
【００４３】
そして操作釦１８を板ばね３２の力に抗して押圧することによってその操作釦１８に対応した面スイッチ１９ａが操作され、これに応じてディスクの各種動作（再生，早送り，逆送り，一時停止，停止）の切り換えや音量調整が行なわれる。
【００４４】
このような構造としたことにより本例の飾り枠１３は、従来一般の操作釦１８の取付構造に比して充分な強度が確保される。
つまり、一般に採用されている構造では、飾り枠１３に操作釦１８が全体的に貫通する貫通孔を設けていたが、これでは貫通孔による肉抜き部分で飾り枠１３の強度が大幅に低下するため、本構造では飾り枠１３の操作釦１８の配置部を凹部２７とし、即ち飾り枠１３の肉を残した構造とすることにより飾り枠１３の強度の低下を回避したものである。
そしてこのように飾り枠１３の強度が充分に確保されることにより、ディスクプレーヤー１の全体としての強度の向上に大きく寄与できるものである。
【００４５】
次にシャーシー２の中に配されるメカデッキ４０の構成を図３及び図１１において説明する。
４１はこのメカデッキ４０の基板となるメカシャーシーで、このメカシャーシー４１は複数箇所においてシャーシー２の内面側に水平方向に突出される支持片部２ｅに緩衝部材（ゴムダンパー４２及びコイルばね４３）を介してフローティング状態で支持されている。
【００４６】
このメカシャーシー４１には、ディスク１００を載置したモーターによって回転駆動されるターンテーブル４４や、ディスク１００の信号を読み取るための光学ピックアップ（図には表われていない）等が配置されている。また４５はメカシャーシー４１上に突設される位置決めピンである。
【００４７】
またメカシャーシー４１にはその後端部に設けられた軸支部４６に、ディスクカートリッジ１０１を保持するためのカートリッジホルダー４７が上下方向に回動可能に軸支されている。
【００４８】
このカートリッジホルダー４７は、上面板部４７ａと、この上面板部４７ａの左右両側から下方に直角に折曲される両側板部４７ｂ，４７ｃ及びこの両側板部４７ｂ，４７ｃの下端内側から直角に突出される下側支持板部４７ｄ，４７ｅとを一体に有してなり、このカートリッジホルダー４７がメカシャーシー４１に対し所定の角度まで持ち上げられるように回動された状態でこのカートリッジホルダー４７にディスクカートリッジ１０１を挿入し、この状態からカートリッジホルダー４７をメカシャーシー４１と重なるように下方へ回動させることにより、ディスクカートリッジ１０１はメカシャーシー４１上の所定の装着位置に装着され、即ちディスクカートリッジ１０１の下面に形成された基準孔が位置決めピン４５に係合してディスクカートリッジ１０１の位置決めが行なわれると同時に、ディスクカートリッジ１０１の下面側に露出しているディスク１００の中心部がターンテーブル４４に載置される状態となる。
【００４９】
またカートリッジホルダー４７の右側板部４７ｃには、ディスクカートリッジ１０１のシャッター１０２を開放するためのシャッター開放片８０がカートリッジホルダー４７の内部に突出して形成されている。
さらにこれより前方においてカートリッジホルダー４７の右側板部４７ｃの外側面には、シャッター閉蓋部材４８が取り付けられている。このシャッター閉蓋部材４８は板金を加工してなり、その先端部に形成された凸状部４８ａがカートリッジホルダー４７の右側板部４７ｃの通孔４９を通ってカートリッジホルダー４７の内部に突出している。
【００５０】
そしてカートリッジホルダー４７にディスクカートリッジ１０１を挿入すると、シャッター閉蓋部材４８の凸状部４８ａにシャッター１０２の側面が摺接しながらディスクカートリッジ１０１が挿入され、凸状部４８ａがシャッター１０２の係合孔１０２ａに係合されると共に、シャッター開放片８０がディスクカートリッジ１０１内のシャッターロック部材（図示せず）によるシャッターのロックを解除してシャッター１０２に当たり、このためディスクカートリッジ１０１の挿入に伴なってシャッター１０２が開かれて、ディスクカートリッジ１０１の下面の開口部からディスク１００の一部が露出して光学ピックアップと対向される。
またカートリッジホルダー４７からディスクカートリッジ１０１がイジェクト（排出）されるときには、挿入時にシャッター１０２の係合孔１０２ａに係合されたシャッター閉蓋部材４８の働きにより、ディスクカートリッジ１０１のイジェクトに伴なってシャッター１０２が閉じられる如くなされている。
【００５１】
本例のディスクプレーヤー１においては、カートリッジホルダー４７の回動支点と上蓋１２の回動支点とは若干ずれた位置に設定されているも、カートリッジホルダー４７は上蓋１２の開閉動作に連動して回動されるようになっている。
【００５２】
即ち、カートリッジホルダ４７には左右の側板部４７ｂ，４７ｃから夫々水平方向に突出して突片部４７ｂ1 ，４７ｃ1 が設けられ、一方上蓋１２が固定される左右のアーム１５ａ，１５ｂには夫々内側に向かって水平方向に突出される突片部１５ａ1 ，１５ｂ1 が設けられて上記カートリッジホルダー４７の突片部４７ｂ1 ，４７ｃ1 の下側に対向されるようになっており、上蓋１２を開くとアーム１５ａ，１５ｂの突片部１５ａ1 ，１５ｂ1 がカートリッジホルダー４７の突片部４７ｂ1 ，４７ｃ1 に当接係合してこれを持ち上げ、このため上蓋１２に追従するようにカートリッジホルダー４７が上方へ回動されることになる。尚、この上蓋１２とカートリッジホルダー４７の最大開き角度は、夫々２５°と２０°に設定されている。
【００５３】
また、上蓋１２の裏面側には、図１０に示すように左右に板ばね部材５０，５１が固着されており、この板ばね部材５０，５１には夫々前後に弾性突片部５０ａ及び５０ｂ，５１ａ及び５１ｂが突出形成されている。また右側の板ばね部材５１には中央部にも弾性突片部５１ｃが突出形成されている。
【００５４】
これらの弾性突片部５０ａ，５０ｂ，５１ａ，５１ｂ，５１ｃは何れも上蓋１２の内面側から浮き上がるように傾斜状に屈曲されており、上蓋１２を閉じるときは、右側の板ばね部材５１の弾性突片部５１ｃがカートリッジホルダー４７の上面板部４７ａに当接してこれを下方に押圧し、このため上蓋１２に追従するようにしてカートリッジホルダー４７が下方へ回動されることになる。
【００５５】
そして上蓋１２が完全に閉じた状態では、右側の板ばね部材５１の中央の弾性突片部５１ｃがカートリッジホルダー４７をメカシャーシー４１側に押さえ付けると共に、両側の板ばね部材５０，５１の弾性突片部５０ａ及び５０ｂ，５１ａ及び５１ｂが夫々ディスクカートリッジ１０１をメカシャーシー４１側に押さえ付け、これによってディスクカートリッジ１０１はガタ付きが生じることなく確実にメカシャーシー４１上のディスクカートリッジ装着部に装着される。
【００５６】
尚、この構成において板ばね部材５０，５１の前側の弾性突片部５０ａ，５１ａは夫々カートリッジホルダー４７の前方においてディスクカートリッジ１０１に当接し、一方後側の弾性突片部５０ｂ，５１ｂは夫々カートリッジホルダー４７の上面板部４７ａに  形成された左右の通孔５２ａ，５２ｂを介してディスクカートリッジ１０１に当接する如くなされている。
【００５７】
上蓋１２は完全に閉じられた状態ではロック機構によってロックされる構造となっており、即ちこのロック機構は、シャーシー２の前側面部２ｄの中央に設けられるフック状のロック片５３と、このロック片５３と対応して上蓋１２の前端部内面側に固定される係着板５４とによりなり、上蓋１２を完全に閉じた状態ではこの係着板５４の係着凹部５４ａがロック片５３と係着されることによって上蓋１２のロックが行なわれる。
【００５８】
またこの上蓋１２のロックを解除するときには、飾り枠１３に設けられているロック解除操作部材５５をスライド操作することでロック片５３が係着板５４から外れ、上蓋１２を開くことができるようになっている。
【００５９】
そしてこの上蓋１２のロックを解除して上蓋１２を開くと、ディスクカートリッジ１０１が入っていた場合、このディスクカートリッジ１０１がカートリッジホルダー４７から飛び出すようにイジェクト（排出）される。
【００６０】
このディスクカートリッジ１０１のイジェクト機構の構成を図１２に詳細に示す。
カートリッジホルダー４７の右側板部４７ｃには、その下端から水平方向に突出される支持板部５７が一体に形成されており、この支持板部５７には板金によりなるイジェクトレバー５８が前後方向即ちディスクカートリッジ１０１の挿脱方向と同方向に摺動可能に支持されている。
【００６１】
このイジェクトレバー５８は、カートリッジホルダー４７の支持板部５７に沿う基板部５８ａと、この基板部５８ａの前端部から垂直に立ち上がり、カートリッジホルダ４７の右側板部４７ｃに沿う弾性板部５８ｂ及び延長板部５８ｃを一体に有してなり、基板部５８ａの長手方向に形成されたガイド長孔５９ａ，５９ｂが夫々カートリッジホルダー４７の支持板部５７に植設固定されるガイドピン６０ａ，６０ｂにガイドされることによって所定の範囲で前後方向に摺動可能に取り付けられている。
【００６２】
またこのイジェクトレバー５８には、基板部５８ａの前端にばね掛け突起５８ｄが突設され、このばね掛け突起５８ｄと前側のガイドピン６０ａとの間に引張コイルばね６１を張架してあり、この引張コイルばね６１の力によってイジェクトレバー５８は常に前方、即ちディスクカートリッジ１０１のイジェクト方向に付勢されている。
【００６３】
そしてこのイジェクトレバー５８の弾性板部５８ｂの先端部には、ディスクカートリッジ１０１の側部に形成された凹部１０３と係合する樹脂製の係合爪６２が設けられている。この係合爪６２はアウトサート成形によって板金製のイジェクトレバー５８と一体に形成されており、この係合爪６２がカートリッジホルダー４７の右側板部４７ｃに形成された長孔状の通孔６３を介してカートリッジホルダー４７の内部に臨み、カートリッジホルダー４７にディスクカートリッジ１０１が挿入された状態ではこの係合爪６２がディスクカートリッジ１０１の凹部１０３に係合し（図１３参照）、これによってディスクカートリッジ１０１と一体的にイジェクトレバー５８が摺動される如くなされている。
【００６４】
このイジェクトレバー５８の係合爪６２においては、図１３により明らかな如く特にアンダーカット部６２ａを設けてあり、即ち係合爪６２におけるディスクカートリッジ１０１の凹部１０３との対接面部の根元部分を凹状に切り欠いたアンダーカット形状に形成してある。
【００６５】
このように係合爪６２にアンダーカット部６２ａを設けたことにより、係合爪６２はディスクカートリッジ１０１の凹部１０３と確実に係合し易くなり、たとえディスクカートリッジ１０１がカートリッジホルダー４７内でのガタつきによって図１３に仮想線で示す如く多少傾いた状態で挿入されたときにも、係合爪６２が凹部１０３から逃げる方向に力が作用することはなく、このため係合爪６２と凹部１０３との係合状態が確実に維持されるようになっている。
【００６６】
またイジェクトレバー５８には、延長板部５８ｃの先端部外面側に後述するロック部材６７と係合されるロックピン６４が立設されており、さらにこの延長板部５８ｃには内面側にガイドピン６５が植設され、このガイドピン６５がカートリッジホルダー４７の右側板部４７ｃに形成されたガイド長孔６６に係合しこれに沿ってガイドされることにより、ロックピン６４がロック部材６７と正確に対応し係合されるようにしてある。
【００６７】
ロック部材６７は軸ピン６８によってカートリッジホルダー４７の右側板部４７ｃの後端部に回動可能に枢着されており、その先端部には上述したイジェクトレバー５８のロックピン６４と係合する爪部６７ａを有している。
【００６８】
このロック部材６７を枢着する軸ピン６８にはねじりコイルばね６９が装着され、その一端部がカートリッジホルダー４７側に、他端部がロック部材６７側に夫々係着されており、このねじりコイルばね６９の力によってロック部材６７は常に図において時計方向に回動付勢されている。
【００６９】
またこのロック部材６７は、その一部の突出部６７ｂがカートリッジホルダー４７側に突設されるストッパー突片７０に当接することによって所定の回動位置、即ち爪部６７ａがイジェクトレバー５８のロックピン６４と対応される位置で係止されている。
【００７０】
またこのロック部材６７には、イジェクトレバー５８のロックピン６４との係合を解除する操作に用いられる操作片部６７ｃが設けられており、この操作片部６７ｃを操作するためのロック解除機構がメカシャーシー４１側に構成されている。
【００７１】
このロック解除機構はいわゆるラチェット機構によりなり、カートリッジホルダー４７の回動動作を利用してロック部材６７とロックピン６４との係合を解除させるものである。
【００７２】
カートリッジホルダー４７側のロック部材６７に対応してメカシャーシー４１には、カートリッジホルダー４７の右側板部４７ｃと対向するように垂直壁７１が切り起こし状に立設されており、この垂直壁７１ににラチェット機構を構成するラチェット部材７２が軸ピン７３によって回動可能に枢着されている。このラチェット部材７２は一端部にロック部材６７の操作片部６７ｃと対応する作用爪部７２ａが形成され、また他端部にはストッパー突片７２ｂが突設されている。
【００７３】
そしてこのラチェット部材７２を枢着する軸ピン７３にはねじりコイルばね７４が装着され、その一端部が垂直壁７１側に、他端部がラチェット部材７２側に夫々係着されており、このねじりコイルばね７４の力によってラチェット部材７２はロック部材６７と逆方向、即ち図において反時計方向に回動付勢されているも、このラチェット部材７２はストッパー突片７２ｂが垂直壁７１の上縁部に当接することによって所定の回動位置、即ち作用爪部７２ａがロック部材６７の操作片部６７ｃと対応される位置で係止されている。
【００７４】
また、このラチェット部材７２が取り付けられる垂直壁７１は、その前部７１ａが外側に向かって開くように傾斜屈曲されており、これによって後述するように垂直壁７１がディスクカートリッジ１０１の挿入時にイジェクトレバー５８を円滑に呼び込むガイド壁として機能する如く構成されている。
【００７５】
続いて以上の如く構成されるイジェクト機構の動作を詳しく説明する。
先ず、図１４に示す如くメカシャーシー４１に対しカートリッジホルダー４７が持ち上げられた状態（上蓋１２が開いた状態）でカートリッジホルダー４７にディスクカートリッジ１０１を挿入すると、イジェクトレバー５８の係合爪６２がディスクカートリッジ１０１の側部の凹部１０３に係合され、このためディスクカートリッジ１０１に引張って行かれるようにしてイジェクトレバー５８が引張コイルばね６１の力に抗してディスクカートリッジ１０１と一体的に後方へ移動される。
【００７６】
このとき、上述したようにイジェクトレバー５８の係合爪６２にアンダーカット部６２ａを有していることにより、係合爪６２と凹部１０３とは確実に係合状態が維持され、ディスクカートリッジ１０１がカートリッジホルダー４７内で多少ガタついて傾いた状態で挿入された場合でも係合爪６２は凹部１０３から脱落することはない。
【００７７】
万一、係合爪６２が凹部１０３から逃げようとしても、イジェクトレバー５８の弾性板部５８ｂがロック解除機構部の垂直壁７１によって呼び込まれるようにガイドされることにより、係合爪６２は凹部１０３から脱落することがなく、このためイジェクトレバー５８は確実にディスクカートリッジ１０１と一体的に移動されることになる。
【００７８】
そしてディスクカートリッジ１０１がカートリッジホルダー４７の最深部まで完全に挿入されると、図１５に示す如くイジェクトレバー５８のロックピン６４がロック部材６７の爪部６７ａに係合し、これによってイジェクトレバー５８がロックされる。
【００７９】
尚、このロックピン６４とロック部材６７の係合動作をさらに詳しく説明すると、先ずイジェクトレバー５８の後方への移動によってロックピン６４がロック部材６７の爪部６７ａの先端傾斜縁に当接してこれを押圧し、この押圧力によってロック部材６７はねじりコイルばね６９の力に抗して押し下げられるように回動され、やがてロックピン６４が爪部６７ａ越えたところでロック部材６７はねじりコイルばね６９の力によって元の位置に復帰し、爪部６７ａにロックピン６４が係合される状態となってイジェクトレバー５８がロックされる。
【００８０】
そしてこのようにディスクカートリッジ１０１がカートリッジホルダー４７に完全に挿入されてイジェクトレバー５８がロックされた状態から、上蓋１２を閉じることによってカートリッジホルダー４７を下方へ回動させ、ディスクカートリッジ１０１がメカシャーシー４１上のディスクカートリッジ装着部に装着された状態では、図１６に示す如くロック部材６７の操作片部６７ｃがラチェット部材７２の作用爪部７２ａを乗り越えてこの作用爪部７２ａの下方に位置される。
【００８１】
このロック部材６７の操作片部６７ｃがラチェット部材７２の作用爪部７２ａを乗り越える動作は、次のようにして行なわれる。
【００８２】
即ち、ロック部材６７はストッパー突片７０によって時計方向の回動を規制されているため、操作片部６７ｃがラチェット部材７２の操作爪部７２ａに当接してこれを押圧し、その力によってラチェット部材７２はねじりコイルばね７４の力に抗して時計方向即ち作用爪部７２ａがロック部材６７の操作片部６７ｃから逃げる方向に回動され、その結果ロック部材６７の操作片部６７ｃがラチェット部材７２の作用爪部７２ａを乗り越える。
【００８３】
そしてこの状態から上蓋１２を開いて図１７に示すようにカートリッジホルダー４７が上方へ持ち上げられるように回動されると、今度はラチェット部材７２がストッパー突片７２ｂによって反時計方向の回動を規制されていることにより、ロック部材６７の操作片部６７ｃがラチェット部材７２の作用爪部７２ａに当接するとロック部材６７はねじりコイルばね６９の力に抗してカートリッジホルダー４７に対し相対的に反時計方向に回動される状態となる。
【００８４】
つまり、ロック部材６７は操作片部６７ｃがラチェット部材７２の作用爪部７２ａに当接されることによってカートリッジホルダー４７の上方への回動に対し置いていかれる状態となり、このためロック部材６７の爪部６７ａからロックピン６４が外れてロックが解除され、これによってイジェクトレバー５８は引張コイルばね６１の力によって前方に向かって復帰移動し、その結果このイジェクトレバー５８に引張って行かれるようにしてディスクカートリッジ１０１がカートリッジホルダー４７から飛び出すようにイジェクトされる。
【００８５】
尚、上蓋１２が完全に開かれてカートリッジホルダー４７が最上方の回動位置で持ち上げられると、ロック部材６７はその操作片部６７ｃがラチェット部材７２の作用爪部７２ａを乗り越えて元の状態に復帰される。
【００８６】
そして以上のように上蓋１２が開かれると同時にディスクカートリッジ１０１がカートリッジホルダ４７から飛び出すようににイジェクトされることにより、ユーザーはディスクカートリッジ１０１の取り出しが楽に行なえることになる。
【００８７】
以上、本発明の一実施例について説明したが、本発明はこの実施例の構成に限定されるものでないことは勿論である。
【００８８】
即ち、本発明は、前述した実施例におけるディスクプレーヤーのシャーシー２に対して電池蓋１０と上蓋１１を軸支する軸支部の構成に限ることなく、他の電子機器における電池蓋と機器本体蓋の軸支部の構成にも適用でき、また、電池蓋と機器本体蓋の組合せばかりでなく、他の複数の蓋の軸支部の構成にも適用できるものである。
【００８９】
【発明の効果】
以上のように本願発明では、記録媒体駆動機構部が収納されるシャーシの一側面の外周面に電池収納部を固着させた構成により、電池収納部と記録媒体収納位置とが隣接する構成となるため、機器の構造が簡略化するだけでなく、機器の薄型化を実現することが可能となり、さらに電池収納部の固着によりシャーシの強度が向上される効果を有する。そして本願発明では、電池収納部の電池蓋を軸支する第１の軸受部と本体蓋１２を軸支する第の軸受部とをシャーシの一側面に効率よくまとめて配置する構成としたことにより、構成がさらに簡略化されるとともに組立てが容易になって、コストの低減化が可能になり、またシャーシのスペースを有効に利用できて機器のさらなる小型化が可能になるという効果がある。
【図面の簡単な説明】
【図１】実施例のディスクプレーヤーの斜視図である。
【図２】同、分解斜視図である。
【図３】同、シャーシーとメカデッキの部分の分解斜視図である。
【図４】同、シャーシーと電池ケースの部分の分解斜視図である。
【図５】同、電池蓋と上蓋の軸支部分の分解斜視図である。
【図６】同、電池蓋の部分の一部切り欠いた平面図である。
【図７】同、電池蓋の軸支部分の平面図である。
【図８】同、飾り枠における操作釦の配置部の分解斜視図である。
【図９】同、飾り枠における操作釦の配置部の縦断面図である。
【図１０】同、上蓋の裏返した状態の斜視図である。
【図１１】同、メカデッキ部の斜視図である。
【図１２】同、イジェクト機構部の分解斜視図である。
【図１３】同、イジェクト機構部におけるイジェクトレバーの係合爪とディスクカートリッジの凹部との係合状態の説明図である。
【図１４】同、イジェクト機構部の動作を説明する側面図で、ディスクカートリッジが挿入される前の状態である。
【図１５】同、イジェクト機構部の動作を説明する側面図で、ディスクカートリッジが挿入された状態である。
【図１６】同、イジェクト機構部の動作を説明する側面図で、ディスクカートリッジが所定の装着部に装着された状態である。
【図１７】同、イジェクト機構部の動作を説明する側面図で、ディスクカートリッジがイジェクトされた状態である。
【符号の説明】
１  ディスクプレーヤー
２  シャーシー
２ａ  左側面部
２ｂ  後側面部
２ｃ  右側面部
２ｄ  前側面部
５  電池ケース
１０  電池蓋
１１  下蓋
１２  上蓋
１３  飾り枠
２３ａ，２３ｂ  第１の軸受部
２４ａ，２４ｂ  支軸
２５  第２の軸受部
２６  カシメピン
【図１】
0003644040.tif 000002
【図２】
0003644040.tif 000003
【図３】
0003644040.tif 000004
【図４】
0003644040.tif 000005
【図５】
0003644040.tif 000006
【図６】
0003644040.tif 000007
【図７】
0003644040.tif 000008
【図８】
0003644040.tif 000009
【図９】
0003644040.tif 000010
【図１０】
0003644040.tif 000011
【図１１】
0003644040.tif 000012
【図１２】
0003644040.tif 000013
【図１３】
0003644040.tif 000014
【図１４】
0003644040.tif 000015
【図１５】
0003644040.tif 000016
【図１６】
0003644040.tif 000017
【図１７】
0003644040.tif 000018